(57)【要約】【課題】靴内部弾性緩衝体の提供。【解決手段】本考案は靴内部弾性緩衝体、特に一種の靴内部に設けて震動を吸収し緩衝機能を有する弾性構造に関わるもので、主に弾性の平面片体より構成する上層面、弾性を有する中間緩衝体層面、弾性を有する下層面より構成する弾性緩衝体。弾性緩衝体部品同士は完全に接続し、一度に射出成型または数回に分けて製造する。靴内部に敷く弾性緩衝体により、靴に緩衝と弾性向上機能を提供し、靴による脚部の保護機能を発揮させる。【選択図】なし【実用新案登録請求の範囲】
【請求項１】
平面片体の上層面を中間緩衝体層面に接続し、更に平面片体の下層面に結合した上、一式の三つの層面を有する立体弾性体を構成し、該弾性体の三つの層面(上、中、下層面)をすべて接続して、一体型射出成型し、中間緩衝体層面は二つまたはそれ以上、複数の層面を一定距離にて、上、下層面の間に配列することを特徴とする一種の靴内部弾性緩衝体。
【請求項２】
請求項１記載の靴内部弾性緩衝体において、中間緩衝体層面は、平行縦型片体より構成し、上、下層面と９０度に垂直することを特徴とする靴内部弾性緩衝体。
【請求項３】
請求項１記載の靴内部弾性緩衝体において、中間緩衝体層面は、湾曲で、かつ、等間隔の片体より構成することを特徴とする靴内部弾性緩衝体。
【請求項４】
請求項１記載の靴内部弾性緩衝体において、中間緩衝体層面は、二つの斜片体と中間部に連結する水平片体より構成することを特徴とする靴内部弾性緩衝体。
【請求項５】
請求項１記載の靴内部弾性緩衝体において、弾性体の上層面は連続し、かつ、同じ間隔を置いた縦型片体より構成し、片体は右と左にそれぞれに斜め方向の片体を延ばして設け、隣り合う縦型片体のうち、左側の斜片体と隣り合う右側斜片体と接続し、接続場所と下層面の縦型片体と接続して、五角形の空間を構成し、その接続は連続で、同じ間隔を置き、上層面の五角形と下層面の五角形と交差して、一式の弾性緩衝体を構成することを特徴とする靴内部弾性緩衝体。
【請求項６】
請求項１記載の靴内部弾性緩衝体において弾性体の上層面は連続し、かつ、同じ間隔を置いた縦型片体より構成し、縦型片体は右と左にそれぞれに曲げ形片体を延ばして設け、隣り合う縦型片体と曲げ形片体のうち、左側の縦型片体と隣り合う右側曲げ形片体と接続し、接続場所と下層面の縦型片体と接続して、五角形に近似する空間を構成し、その接続は連続で、同じ間隔を置き、上層面の近似五角形と下層面の近似五角形と交差して、一式の弾性緩衝体を構成する、ことを特徴とする靴内部弾性緩衝体。
【請求項７】
請求項１記載の靴内部弾性緩衝体において、上層面と下層面は中間緩衝体とそれぞれを二回に分けて製造した上、一体化に結合し、二回に分けて製造した上層面の硬度は、下層面の硬度より低いことを特徴とする靴内部弾性緩衝体。
【請求項８】
請求項１記載の靴内部弾性緩衝体において、上層面は局部的に中間緩衝体層面と結合して製造した上、分離されない上層面と下層面に結合して製造し、一体化に結合して、分けて製造した上層面の硬度は下層面の硬度より低いことを特徴とする靴内部弾性緩衝体。
【請求項９】
請求項１記載の靴内部弾性緩衝体において、中間緩衝体の片体の厚みは１mmを超えることを特徴とする靴内部弾性緩衝体。
【請求項１０】
請求項２記載の靴内部弾性緩衝体において、平行縦型片体の間隔は５mmを超えることを特徴とする靴内部弾性緩衝体。
【請求項１１】
請求項３記載の靴内部弾性緩衝体において、曲げ形片体の間隔は５mmを超えることを特徴とする靴内部弾性緩衝体。
【請求項１２】
請求項１記載の靴内部弾性緩衝体において、弾性緩衝体上層面の厚みは１mmを超えることを特徴とする靴内部弾性緩衝体。
【請求項１３】
請求項１記載の靴内部弾性緩衝体において、弾性緩衝体下層面の厚みは１mmを超えることを特徴とする靴内部弾性緩衝体。
【請求項１４】
請求項１記載の靴内部弾性緩衝体において、中間弾性緩衝層面は不規則の間隔より構成できることを特徴とする靴内部弾性緩衝体。
【請求項１５】
請求項１記載の靴内部弾性緩衝体において、中間弾性緩衝層面は二つまたはそれ以上の完全な弾性緩衝体より構成できることを特徴とする靴内部弾性緩衝体。
【請求項１６】
請求項１記載の靴内部弾性緩衝体において、中間弾性緩衝層面の高さは３mm以上であり、規則の高さまたは不規則の高さより構成できることを特徴とする靴内部弾性緩衝体。
【考案の詳細な説明】
【技術分野】
【０００１】
本考案は靴内部弾性緩衝体、特に一種のすべての靴内部に設けて、一体型成型により弾性緩衝機能を構成し、震動吸収構造強度を確保できる一種の靴内部弾性緩衝体に関わる。
【背景技術】
【０００２】
靴を履くときの快適性を図るため、従来は靴と靴裏材の材質の改良を行っていた。しかし、効果に限度がある。よって、近年、業者は緩衝原理を靴に応用している。運動靴は早期にもっとも応用が多かったのはエア・バグ靴である。靴体の底部にエア・バグを設けて、靴体の走行における弾性緩衝効果を向上できるほか、靴底の走行における圧迫力も軽減の効果がある。しかし、このようなエア・バグ靴は密閉式構造のため、エア・バグを破損すると、その機能は失われる。さらに、エア・バグは汗の発生しやすい靴内部に通気効果がない上、エア・バグは特殊な成型技術を要するため、コスト高になり兼ねない。
【考案の開示】
【考案が解決しようとする課題】
【０００３】
前記のエア・バグ構造の靴の下敷きは極めて良い震動吸収効果があるものの、前記に説明したとおり、履くときの欠点および生産コストが高いことから、エア・バグ破損の防止および通気性不良などは、市場から改善要求の声がある。
【課題を解決するための手段】
【０００４】
本考案者は前記の公知技術構造の欠点に対する改善を取り組み、一種のエア・バグを使用しない弾性緩衝体構造を思案した。主に、弾性体の上層面、弾性体の中間緩衝層、弾性体の下層面により、弾性緩衝体を構成する。この三つの部品を一体化に接続し、一度に射出成型する。単一の部品を使用するか、または複数の部品を合わせ使用することもできる。さらに、大きい部品と小さい部品と組み合わせて使用することができる。簡単、成型しやすい、通気性が良く、破損しにくいなど多くの長所がある。
【０００５】
請求項１の考案は、平面片体の上層面を中間緩衝体層面に接続し、更に平面片体の下層面に結合した上、一式の三つの層面を有する立体弾性体を構成し、該弾性体の三つの層面(上、中、下層面)をすべて接続して、一体型射出成型し、中間緩衝体層面は二つまたはそれ以上、複数の層面を一定距離にて、上、下層面の間に配列することを特徴とする一種の靴内部弾性緩衝体としている。
請求項２の考案は、請求項１記載の靴内部弾性緩衝体において、中間緩衝体層面は、平行縦型片体より構成し、上、下層面と９０度に垂直することを特徴とする靴内部弾性緩衝体としている。
請求項３の考案は、請求項１記載の靴内部弾性緩衝体において、中間緩衝体層面は、湾曲で、かつ、等間隔の片体より構成することを特徴とする靴内部弾性緩衝体としている。
請求項４の考案は、請求項１記載の靴内部弾性緩衝体において、中間緩衝体層面は、二つの斜片体と中間部に連結する水平片体より構成することを特徴とする靴内部弾性緩衝体としている。
請求項５の考案は、請求項１記載の靴内部弾性緩衝体において、弾性体の上層面は連続し、かつ、同じ間隔を置いた縦型片体より構成し、片体は右と左にそれぞれに斜め方向の片体を延ばして設け、隣り合う縦型片体のうち、左側の斜片体と隣り合う右側斜片体と接続し、接続場所と下層面の縦型片体と接続して、五角形の空間を構成し、その接続は連続で、同じ間隔を置き、上層面の五角形と下層面の五角形と交差して、一式の弾性緩衝体を構成することを特徴とする靴内部弾性緩衝体としている。
請求項６の考案は、請求項１記載の靴内部弾性緩衝体において弾性体の上層面は連続し、かつ、同じ間隔を置いた縦型片体より構成し、縦型片体は右と左にそれぞれに曲げ形片体を延ばして設け、隣り合う縦型片体と曲げ形片体のうち、左側の縦型片体と隣り合う右側曲げ形片体と接続し、接続場所と下層面の縦型片体と接続して、五角形に近似する空間を構成し、その接続は連続で、同じ間隔を置き、上層面の近似五角形と下層面の近似五角形と交差して、一式の弾性緩衝体を構成する、ことを特徴とする靴内部弾性緩衝体としている。
請求項７の考案は、請求項１記載の靴内部弾性緩衝体において、上層面と下層面は中間緩衝体とそれぞれを二回に分けて製造した上、一体化に結合し、二回に分けて製造した上層面の硬度は、下層面の硬度より低いことを特徴とする靴内部弾性緩衝体としている。
請求項８の考案は、請求項１記載の靴内部弾性緩衝体において、上層面は局部的に中間緩衝体層面と結合して製造した上、分離されない上層面と下層面に結合して製造し、一体化に結合して、分けて製造した上層面の硬度は下層面の硬度より低いことを特徴とする靴内部弾性緩衝体としている。
請求項９の考案は、請求項１記載の靴内部弾性緩衝体において、中間緩衝体の片体の厚みは１mmを超えることを特徴とする靴内部弾性緩衝体としている。
請求項１０の考案は、請求項２記載の靴内部弾性緩衝体において、平行縦型片体の間隔は５mmを超えることを特徴とする靴内部弾性緩衝体としている。
請求項１１の考案は、請求項３記載の靴内部弾性緩衝体において、曲げ形片体の間隔は５mmを超えることを特徴とする靴内部弾性緩衝体としている。
請求項１２の考案は、請求項１記載の靴内部弾性緩衝体において、弾性緩衝体上層面の厚みは１mmを超えることを特徴とする靴内部弾性緩衝体としている。
請求項１３の考案は、請求項１記載の靴内部弾性緩衝体において、弾性緩衝体下層面の厚みは１mmを超えることを特徴とする靴内部弾性緩衝体としている。
請求項１４の考案は、請求項１記載の靴内部弾性緩衝体において、中間弾性緩衝層面は不規則の間隔より構成できることを特徴とする靴内部弾性緩衝体としている。
請求項１５の考案は、請求項１記載の靴内部弾性緩衝体において、中間弾性緩衝層面は二つまたはそれ以上の完全な弾性緩衝体より構成できることを特徴とする靴内部弾性緩衝体としている。
請求項１６の考案は、請求項１記載の靴内部弾性緩衝体において、中間弾性緩衝層面の高さは３mm以上であり、規則の高さまたは不規則の高さより構成できることを特徴とする靴内部弾性緩衝体としている。
【考案の効果】
【０００６】
本考案は公知の技術に比べて、靴内部弾性の緩衝体は弾性平面体の上層面、弾性の中間緩衝体表面、弾性の平面体の下層面より構成し、三者を接続し、一体型成型のため、破損しにくい。さらに、上・下層面に挟む中間緩衝層に隙間を残した上、靴内部に組み込む。靴体と組み合わせ後、空気室を形成し、気体バネの機能を有する。弾性体の上層面で圧力を受けると、弾性体上層面の縦型片体から圧下し、縦型片体の斜片体を圧下する。斜片体は弾性下層面上の縦型片体により支えられ、斜片体の圧縮と戻りにより弾力を形成し、前記の気体バネと合わせて、二重バネの効果を実現する。
本考案は一体型成型ができるため、生産コストが低い。さらに、実施方式により、大きい弾性緩衝機能を発揮し、部品全体をより簡素化でき、独特な実用性を有する考案である。
【考案を実施するための最良の形態】
【０００７】
図１から図４に示すものは、本考案弾性緩衝体１０の基本構造表示図である。図１に示すとおり、弾性体上層面１１、弾性中間緩衝層１２a、弾性下層面１３より構成する縦型弾性緩衝１０a。図示の通り、中間緩衝層１２aは二つの縦型片体１２１より構成する。縦型片体１２１は均一な厚みの片体で、幅も均一である。縦型片体１２１は互いに平行して設け、一定の距離を置く、図２に示すとおり、圧力受けたとき、二つの縦型片体１２１が曲げて、緩衝と震動吸収効果を発生する。同じく、中間緩衝層１２aを図３に示す湾曲形弾性緩衝体１０bの湾曲片体１２２に変更したとき、あらかじめに設定された湾曲形状により、弾性緩衝体１２bが圧迫されたとき、曲げ反応速度が早くなる。さらに、図４に示すとおり、連体型弾性緩衝体１０cの中間緩衝層１２cは中央内部に凹んだH型片体により構成する。H型片体は４枚の中央部斜めに設ける斜片体１２３と水平片体１２４より構成する。弾性緩衝体１２cを靴内部に設けた後、片体はH型に連結されているため、受圧による曲げ変化と方向変化とも安定しているため、全体的に圧縮と戻りの過程において、比較的に安定する。
【０００８】
さらに、図５および図９に示すとおり、連体型緩衝体１０dの中間緩衝層を設計変更し、弾性体上層面１１を連続した同じ間隔を設ける縦型片体１２５に接続し、縦型片体１２５は右と左方向へそれぞれに斜片体１２６を設ける。隣り合う縦型片体１２５より延ばした斜片体１２６、左側の斜片体１２６は隣り合う右側斜片体１２６に接続し、接続場所にて下層面１３の縦型片体１２５に接続して、図示の五角形空間を構成する。その接続は連続のほか、同じ間隔を置く、上層面１１の五角形と下層面１３の五角形は交差して一式の弾性緩衝体を構成する。図７に示すとおり、弾性緩衝体１２d全体は圧力受けたとき、上部の縦型片体１２５は圧縮され、斜片体１２６は曲がって変形を起こし、下部の縦型片体１２５に伝えて行く、それぞれの区域に異なる曲げ反応を形成し、空気室からも跳ね返す力量を提供する。
【０００９】
さらに、図６および図１０に示すとおり、連体型緩衝体１０eの中間緩衝層を設計変更し、弾性体上層面１１を連続した同じ間隔を設ける縦型片体１２５に接続し、縦型片体１２５は右と左方向へそれぞれに斜片体１２７を設ける。隣り合う縦型片体１２５より延ばした斜片体１２７、左側の斜片体１２７は隣り合う右側斜片体１２７に接続し、接続場所にて下層面１３の縦型片体１２５に接続して、図示の近似五角形空間を構成する。その接続は連続のほか、同じ間隔を置く、上層面１１の近似五角形と下層面１３の五角形は交差して一式の弾性緩衝体を構成する。図８に示すとおり、弾性緩衝体１２e全体は圧力受けたとき、上部の縦型片体１２５は圧縮され、斜片体１２７は曲がって変形を起こし、下部の縦型片体１２５に伝えて行く、同じく、空気室からも跳ね返す力量を提供できる。この実施例はより良い震動吸収機能を提供できる。
【００１０】
さらに、図１１および図１２に示すものは、連帯形緩衝体１０eより変化した第１種分段式連帯形緩衝体１０eである。上層面１１と下層面１２はそれぞれに製造した後に結合できる。異なる高度を上層面１１と下層面１２に実施する。一例として、上層面１１を柔らかくして、クッションの減震効果を提供し、下層面１２を硬くして、安定支持の効果を提供する。
【００１１】
図１３から図１５に示すものは、連体型緩衝体１０eより変化した第１種分段式連体型緩衝体１０eである。上層面１１は局部的に下層面１２と分離してから、結合できる。柔らかい上層面１１より、特定部位のクッションの減震効果を提供でき、硬い下層面１２より安定支持の効果を提供できる。
【００１２】
図１６から図１８に示すものは、連体型緩衝体１０eより変化した第１種分段式連体型緩衝体１０hである。上層面１１は図１２に変化を加えて、下層面１２と結合し、柔らかい上層面１１より、特定部位のクッションの減震効果を提供でき、硬い下層面１２より安定支持の効果を提供できる。
【００１３】
図１９に示すものは、本考案弾性緩衝体の第１組合せ実施例である。緩衝体２０Cの上層面１１と下層面１３との間に、両側から後部にU字型で配列した複数の収容孔３０を配列する。収容孔３０も複数の弾性緩衝体１０を設け、U字型で配列した複数の弾性緩衝体１０上層面１１と下層面１２との間の中央部は、複数の小さい間隔を置いた縦型片体１２１bを設け、弾性緩衝体本体の間に小さい間隔を置いた縦型片体１２１bを設ける。本体周りに整列された複数の弾性緩衝体１０を設けて、単体の大きい弾性緩衝体を構成し、同じ弾性緩衝体に異なる弾性を提供できる。図２０に示すものは、本考案弾性緩衝体の第２大きい組合せ実施例の実施例である。弾性緩衝体２０Dの上層面１１と下層面１２の間に、縦型片体１２lcにより、二つの区域に区切っておく、一つの区域は不規則の収容孔３０を配列し、収容孔３０それぞれに弾性緩衝体１０を設け、もう一つの区域に複数の小さい間隔を置いた縦型片体１２１bを設ける。これにより、同じ弾性緩衝体に異なる弾性を提供し、弾性緩衝効果を発揮して、利用者に快適な履き心地と良い走行効果を提供できる。
【００１４】
図２１に示すものは、図５の連帯型緩衝体１０dを靴内部に設けた表示図である。縦型片体１２同士は間隔を置いているため、均一に曲がって変形し、靴底の震動吸収効果と弾性を提供でき、弾性緩衝体を使用により、最適な弾性の圧縮と戻り力量を与えて、圧縮緩衝効果を発揮する。
【図面の簡単な説明】
【００１５】
【図１】本考案の第１種弾性緩衝体の基本構造表示図である。
【図２】本考案の第１種弾性緩衝体の受圧による曲げ表示図である。
【図３】本考案の第２種弾性緩衝体の基本構造表示図である。
【図４】本考案の第３種弾性緩衝体の基本構造表示図である。
【図５】本考案の第４種弾性緩衝体の基本構造表示図である。
【図６】本考案の第５種弾性緩衝体の基本構造表示図である。
【図７】本考案の第４種弾性緩衝体の受圧変化の表示図である。
【図８】本考案の第５種弾性緩衝体の受圧変化の表示図である。
【図９】本考案第４種弾性緩衝体の立面図である。
【図１０】本考案第５種弾性緩衝体の立面図である。
【図１１】本考案第５種弾性緩衝体の第１種変化立面図である。
【図１２】本考案第５種弾性緩衝体の第１種変化平面分解図である。
【図１３】本考案第５種弾性緩衝体の第２種変化立面図である。
【図１４】本考案第５種弾性緩衝体の第２種変化平面分解図である。
【図１５】本考案第５種弾性緩衝体の第２種変化平面組み合わせ図である。
【図１６】本考案第５種弾性緩衝体の第３種変化立面図である。
【図１７】本考案第５種弾性緩衝体の第３種変化平面分解図である。
【図１８】本考案第５種弾性緩衝体の第３種変化平面組み合わせ図である。
【図１９】本考案弾性緩衝体の第１部品を靴内部に組み込む実施例の表示図である。
【図２０】本考案弾性緩衝体の第２部品を靴内部に組み込む実施例の表示図である。
【図２１】本考案の第４種弾性緩衝体を靴内部に組み込む表示図である。
【符号の説明】
【００１６】
１０、１０a、１０b、１０c、１０d、１０e  弾性緩衝体
１１  上層面
１２a  縦型緩衝体
１２b  曲げ型緩衝体
１２c、１２d、１２e  連体型緩衝体
１２f、１２g、１２h    段差式連体型緩衝体
１２１、１２１b、l２lc、１２５    縦型片体
１２２、１２７  湾曲片体
１２３、１２６  斜片体
１２４  水平片体
１３  下層面
２０C、２０D  大きい弾性緩衝体
３０  収容孔
【図１】
0003121152.tif 000002
【図２】
0003121152.tif 000003
【図３】
0003121152.tif 000004
【図４】
0003121152.tif 000005
【図５】
0003121152.tif 000006
【図６】
0003121152.tif 000007
【図７】
0003121152.tif 000008
【図８】
0003121152.tif 000009
【図９】
0003121152.tif 000010
【図１０】
0003121152.tif 000011
【図１１】
0003121152.tif 000012
【図１２】
0003121152.tif 000013
【図１３】
0003121152.tif 000014
【図１４】
0003121152.tif 000015
【図１５】
0003121152.tif 000016
【図１６】
0003121152.tif 000017
【図１７】
0003121152.tif 000018
【図１８】
0003121152.tif 000019
【図１９】
0003121152.tif 000020
【図２０】
0003121152.tif 000021
【図２１】
0003121152.tif 000022